(57)【要約】【課題】本発明は、補修性がよく、製造コストを低減する光源装置を提供する。【解決手段】本発明は、光源ランプ２と、光源ランプ２が内部に配置され、光源ランプ２からの放射光を反射して前面に設けられた開放部３から出射するリフレクタ４と、リフレクタ４の開放部３を覆い、リフレクタ４からの出射光を通過させる開口を有するランプカバー５と、ランプカバー５の開口２１を内側から覆う透過性の防爆ガラス６と、防爆ガラス６を保持する防爆ガラス保持部材７とを備えた光源装置１において、防爆ガラス保持部材７は、防爆ガラス６の前面及び側面をランプカバー５の内側２４に押圧することによって、防爆ガラス６を保持することを特徴とする。【選択図】図１０
2008210649.tif 000002
【特許請求の範囲】
【請求項１】
光源ランプと、前記光源ランプが内部に配置され、前記光源ランプからの放射光を反射して前面に設けられた開放部から出射するリフレクタと、前記リフレクタの前記開放部を覆い、前記リフレクタからの出射光を通過させる開口を有するランプカバーと、前記ランプカバーの開口を内側から覆う透過性の防爆ガラスと、前記防爆ガラスを保持する防爆ガラス保持部材とを備えた光源装置において、
前記防爆ガラス保持部材は、前記防爆ガラスの前面及び側面を前記ランプカバーの内側に押圧することによって、前記防爆ガラスを保持する
ことを特徴とする光源装置。
【請求項２】
前記ランプカバーは、その内側に第１係止部と第２係止部を有しており、
前記防爆ガラス保持部材は、前記防爆ガラスの第１の側面を前記第１係止部に押圧する第１押圧部と、前記防爆ガラスの第２の側面を前記第２係止部に押圧する第２押圧部とを有する
ことを特徴とする請求項１の光源装置。
【請求項３】
前記防爆ガラス保持部材は、前記防爆ガラスの後面を押圧して、前記防爆ガラスの前面を前記ランプカバーの内側に押圧する第３押圧部を備え、第１押圧部と第２押圧部とを第３押圧部から延伸させて設けた
ことを特徴とする請求項２に記載の光源装置。
【請求項４】
前記第１押圧部及び第２押圧部は、板バネで構成される
ことを特徴とする請求項２又は請求項３に記載の光源装置。
【請求項５】
前記防爆ガラス保持部材は、前記ランプカバーに係合する係合部を有する
ことを特徴とする請求項１〜４のいずれか１項に記載の光源装置。
【請求項６】
前記防爆ガラス保持部材の側壁部に前記光源ランプを冷却する冷却風を導く導風口が設けられ、前記導風口からの冷却風の方向を前記光源ランプ側へ変更する風向板を有する
ことを特徴とする請求項１〜５のいずれか１項に記載の光源装置。
【請求項７】
前記風向板は、前記防爆ガラス保持部材と別部材で形成される
ことを特徴とする請求項６に記載の光源装置。
【請求項８】
前記風向板は、前記防爆ガラス保持部材と同一部材で形成される
ことを特徴とする請求項６に記載の光源装置。
【請求項９】
請求項１〜８のいずれか１項に記載の光源装置と、前記光源装置から出射した光を入力された画像信号に基づいて変調する光変調部と、前記光変調部から出射した光をスクリーンに投影する投影光学系とを有する
ことを特徴とする画像表示装置。
【発明の詳細な説明】
【技術分野】
【０００１】
本発明は、光源装置及びこの光源装置を用いる画像表示装置に関する。
【背景技術】
【０００２】
従来、コンピュータ装置等から画像データを入力して液晶表示素子に画像データに応じた画像を表示し、この液晶表示素子に光を照射して投影スクリーン上に画像を拡大投影するプロジェクタなどの画像表示装置が広く使用されている。また、光変調素子としてＤＭＤ（Digital Micromirror Device）素子を用いて画像データに応じた画像を投影する画像表示装置も知られている。
【０００３】
この種の画像表示装置は、光源ランプを有する光源装置と、この光源装置から出射した光を入力された画像信号に基づいて変調する光変調素子（液晶表示素子やＤＭＤ素子）と、この光変調素子から出射した光を投影面に投射する投射光学系などから構成される。
【０００４】
光源装置は、光を照射する光源ランプと、この光を反射させるリフレクタなどから構成されており、筐体のランプハウスに収められている。
【０００５】
光源ランプは、小型で高輝度を得ることができる超高圧水銀ランプが用いられるが、長期間の使用により劣化して破裂する虞があるため、光源装置には、破裂時のガラスの飛散を防ぐために防爆ガラスが設けられている。
【０００６】
この防爆ガラスが設けられた光源装置として、リフレクタ前面の凹状の位置決め面に接着剤等によって防爆ガラスを接着して固定したもの（例えば、特許文献１参照）や、防爆ガラスの周囲をリング状の部材で挟みつつ、リフレクタをカバーする放熱カバーの前面ネットにネジで固定するもの（例えば、特許文献２参照。）などがある。
【特許文献１】特開２００４−２７２０９６号公報
【特許文献２】特開２００６−２２８６２２号公報
【発明の開示】
【発明が解決しようとする課題】
【０００７】
しかし、特許文献１に開示されているような光源装置では、防爆ガラス自体をリフレクタに接着固定しなければならず、接着作業が必要となって製造コストがかかる。しかも、防爆ガラスをリフレクタに接着しているために、防爆ガラスが汚れたり損傷した場合であっても、防爆ガラスのみを交換することはできず、補修性にも課題があった。
【０００８】
また、特許文献２に開示されているような光源装置では、防爆ガラスの周囲をリング状の部材で挟みつつ、リフレクタをカバーする放熱カバーの前面ネットにネジを用いて固定する構造であり、ねじ止め作業などが必要となって製造コストがかかるという課題がある。
【課題を解決するための手段】
【０００９】
そこで、上記目的を達成するために、請求項１に記載の発明は、光源ランプと、前記光源ランプが内部に配置され、前記光源ランプからの放射光を反射して前面に設けられた開放部から出射するリフレクタと、前記リフレクタの前記開放部を覆い、前記リフレクタからの出射光を通過させる開口を有するランプカバーと、前記ランプカバーの開口を内側から覆う透過性の防爆ガラスと、前記防爆ガラスを保持する防爆ガラス保持部材とを備えた光源装置において、前記防爆ガラス保持部材は、前記防爆ガラスの前面及び側面を前記ランプカバーの内側に押圧することによって、前記防爆ガラスを保持することを特徴とする。
【００１０】
また、請求項２に記載の発明は、請求項１に記載の発明において、前記ランプカバーは、その内側に第１係止部と第２係止部を有しており、前記防爆ガラス保持部材は、前記防爆ガラスの第１の側面を前記第１係止部に押圧する第１押圧部と、前記防爆ガラスの第２の側面を前記第２係止部に押圧する第２押圧部とを有することを特徴とする。
【００１１】
また、請求項３に記載の発明は、請求項２に記載の発明において、前記防爆ガラス保持部材は、前記防爆ガラスの後面を押圧して、前記防爆ガラスの前面を前記ランプカバーの内側に押圧する第３押圧部を備え、第１押圧部と第２押圧部とを第３押圧部から延伸させて設けたことを特徴とする。
【００１２】
また、請求項４に記載の発明は、請求項２又は請求項３に記載の発明において、前記第１押圧部及び第２押圧部は、板バネで構成されることを特徴とする。
【００１３】
また、請求項５に記載の発明は、請求項１〜４のいずれか１項に記載の発明において、前記防爆ガラス保持部材は、前記ランプカバーに係合する係合部を有することを特徴とする。
【００１４】
また、請求項６に記載の発明は、請求項１〜５のいずれか１項に記載の発明において、前記防爆ガラス保持部材の側壁部に前記光源ランプを冷却する冷却風を導く導風口が設けられ、前記導風口からの冷却風の方向を前記光源ランプ側へ変更する風向板を有することを特徴とする。
【００１５】
また、請求項７に記載の発明は、請求項６に記載の発明において、前記風向板は、前記防爆ガラス保持部材と別部材で形成されることを特徴とする。
【００１６】
また、請求項８に記載の発明は、請求項６に記載の発明において、前記風向板は、前記防爆ガラス保持部材と同一部材で形成されることを特徴とする。
とした。
【００１７】
また、請求項９に記載の発明は、請求項１〜８のいずれか１項に記載の光源装置と、前記光源装置から出射した光を入力された画像信号に基づいて変調する光変調部と、前記光変調部から出射した光をスクリーンに投影する投影光学系とを有することを特徴とする。とした。
【発明の効果】
【００１８】
請求項１に記載の発明によれば、防爆ガラスを防爆ガラス保持部材とランプカバーで保持するため、防爆ガラスが汚れたり損傷した場合であっても防爆ガラスのみを容易に交換することができ補修性を向上させることができる。また、従来、防爆ガラスを保持するために接着作業やねじ止め作業が必要であったが、防爆ガラスを防爆ガラス保持部材とランプカバーで保持するため製造コストを低減することができる。
【００１９】
請求項２に記載の発明によれば、防爆ガラス保持部材は、防爆ガラスの第１の側面を第１係止部に押圧する第１押圧部と、防爆ガラスの第２の側面を第２係止部に押圧する第２押圧部とを有するので、防爆ガラスの各側面を押圧して、防爆ガラスを安定して保持することができる。
【００２０】
請求項３に記載の発明によれば、防爆ガラス保持部材は、防爆ガラスの後面を押圧して、防爆ガラスの前面をランプカバーの内側に第３押圧部で押圧するので、防爆ガラスの前面を後面から押圧して前後方向を安定して保持することができる。
【００２１】
請求項４に記載の発明によれば、第１押圧部及び第２押圧部を板バネで構成するので、防爆ガラス保持部材における押圧部の形成が容易となる。
【００２２】
請求項５に記載の発明によれば、防爆ガラスが汚れたり損傷したとき、防爆ガラス保持部材の係合部がランプカバーから開放されるため、短時間で取り付け、取り外し作業を行うことができる。
【００２３】
請求項６に記載の発明によれば、防爆ガラス保持部材の側壁部に光源ランプを冷却する冷却風を導く導風口が設けられ、導風口からの冷却風の方向を光源ランプ側へ変更する風向板を備えているので、導風口から冷却風を光源装置内に導くことができ、さらに風向板によって冷却風の方向を光源ランプ側へ変更することができ、冷却効率を向上することができる。
【００２４】
請求項７に記載の発明によれば、風向板を別部材で形成したので、風向板の形状を変えた部材を交換することによって、風向の変更や分流する風量の調整を行うことができる。
【００２５】
請求項８に記載の発明によれば、風向板を防爆ガラス保持部材と同一部材で形成したので、光源装置の部品点数を削減することができ、さらに風向板の取付け作業の工数も削減することができ、コスト低減を図ることができる。
【００２６】
請求項９に記載の発明によれば、光源装置の防爆ガラスが汚れたり損傷した場合、容易に交換することができるため、長期にわたり画像表示装置の補修性を向上させることができる。また、画像表示装置の動作時に冷却風が導風されると風向板を設けているため、分流されて高温になる光源ランプを積極的に冷却できることから長期にわたり信頼性を図ることができる。
【発明を実施するための最良の形態】
【００２７】
以下、本発明に係る光源装置及びこの光源装置を備えた画像表示装置の実施形態について図面を用いて詳細に説明する。図１は、本実施の形態に係る光源装置を備えた画像表示装置１０１を示す構成図である。
【００２８】
図１に示すように、本実施の形態に係る画像表示装置１０１は、光源装置１と、光源装置１から出射した光を外部から入力された画像信号に基づいて変調する光変調部１０２と、この光変調部１０２から出射した光をスクリーンＳ（図示せず）に投影する投影光学系１０３を備えている。
【００２９】
光変調部１０２は、透過型液晶パネルなどによって構成されており、光源装置１から出射した光を入力された画像信号に基づいて変調させる。なお、透過型液晶パネルに代えて、ＤＭＤ（デジタル・ミラー・デバイス）を用いるようにしてもよい。
【００３０】
また、投影光学系１０３は、複数のレンズを多段に組み合わされており、光変調部１０２から出射した光をスクリーンＳに所望の大きさで投影する。
【００３１】
以上のように構成された画像表示装置１０１において、その特徴部分である光源装置１について詳細に説明する。図２は本実施の形態に係る光源装置１の外観図、図３は本実施の形態に係る光源装置１の分解斜視図、図４は本実施の形態に係る光源装置１の要部の分解斜視図である。
【００３２】
光源装置１は、図２及び図３に示すように、正面に光を出射する開口を備えたケース１４と、このケース１４に収納された光源本体１５とから構成される。
【００３３】
ケース１４は、光源本体１５を挿入するために上面に設けられた上面開口と光源本体１５から出射する光を通過させるために正面に設けられた正面開口とを有する下部カバー１６と、この下部カバー１６の上面開口を覆うための上部カバー１２とから構成される。
【００３４】
光源本体１５は、図４に示すように、光源ランプ２と、凹状に形成され、光源ランプ２をその凹状内部に配置して、この光源ランプ２からの放射光を凹状内部で反射して前面に設けた開放部３から出射するリフレクタ４と、リフレクタ４の開放部３を覆い、このリフレクタ４からの出射光を通過させる開口２１を有するランプカバー５と、ランプカバー５の開口２１を内側から覆う透過性の防爆ガラス６と、防爆ガラス６を保持する防爆ガラス保持部材７とから構成される。なお、光源ランプ２は、小型で高輝度を得ることができる細長形の中央に球状の発光管２ａを備える超高圧水銀ランプが用いられる。
【００３５】
この光源本体１５において、防爆ガラス保持部材７は、防爆ガラス６の前面及び側面をランプカバー５の内側に所定の弾性をもって押圧して防爆ガラス６を保持するようにしており、このように構成することにより、防爆ガラス６を保持するための接着作業やねじ止め作業を不要とし、容易に防爆ガラス６を保持可能としている。
【００３６】
以下、防爆ガラス６をランプカバー５及び防爆ガラス保持部材７によって保持するための構成を図面を参照して具体的に説明する。図５はランプカバーと防爆ガラスと防爆ガラス保持部材との位置関係を示す模式図、図６はランプカバー５の斜視図、図７は防爆ガラス保持部材７の斜視図である。
【００３７】
防爆ガラス６は、図５に示すように、前面が正方形状で所定の厚みをもった板状ガラスであり、ランプカバー５の内側２４に当接する前面４０と、後述する防爆ガラス保持部材７の後面押圧板５３に当接する後面４１と、左右対称の左側面４２及び右側面４３（第１の側面の一例に相当）と、上下対称の上側面４４（第２の側面の一例に相当）及び下側面４５の各面を有している。
【００３８】
ランプカバー５は、図５及び図６に示すように、前側壁部２２Ｆ、左右側壁部２２Ｒ，２２Ｌ、上下側壁部２２Ｕ，２２Ｄとから構成される箱体であり、その背面を開放した形状としている。前側壁部２２Ｆには、光源ランプ２からの光を通過させる開口２１が形成される。また、この前側壁部２２Ｆの内側には、防爆ガラス６の前面４０よりも大きい面積の平面部２０が形成される。右側壁部２２Ｒの内側には、防爆ガラス６の右側面４３を係止する一対の柱形状部２５Ｕ，２５Ｄを有する第１係止部２５が設けられる。前側壁部２２Ｆには、上側壁部２２Ｕの近傍に、防爆ガラス６の上側面４４を係止する凸形状の第２係止部２６が設けられる。また、ランプカバー５の左右側壁部２２Ｌ、２２Ｒには、光源ランプ２を冷却する冷却風を導く長方形状の導風口２３Ｌ、２３Ｒに防爆ガラス保持部材７を係合する凹状の係合受部２８Ｌ、２８Ｒを有している。
【００３９】
防爆ガラス保持部材７は、図５及び図７に示すように、光源ランプ２からの光を通過する開口部５０を有し、防爆ガラス６の後面４１に当接してこの防爆ガラス６の後面４１を所定の弾性をもって押圧する後面押圧板５３（第３押圧部の一例に相当）を備えている。また、防爆ガラス保持部材７には、後面押圧板５３の左端から屈曲して後方に延在する平板状の左側壁部５４Ｌが設けられており、さらに、後面押圧板５３の右端から前方に膨出（膨出部５６）した後に後方に延在する上方視Ｊ字形状の右側壁部５４Ｒが設けられる。この左右側壁部５４Ｌ、５４Ｒには、それぞれランプカバー５の導風口２３Ｌ、２３Ｒの係合受部２８Ｌ、２８Ｒと係合する板バネ状の係合部５７Ｌ、５７Ｒを有している。
【００４０】
また、防爆ガラス保持部材７には、後面押圧板５３から板バネ５１ａ，５１ｂ，５２を延伸させて設けている。すなわち、後面押圧板５３の左端上下から右側に湾曲しつつ前方に延在する一対の板バネ５１ａ，５１ｂ（第１押圧部の一例に相当）が設けられ、さらに、後面押圧板５３の下端の中央から下側に湾曲しつつ前方に延在する板バネ５２（第２押圧部の一例に相当）が設けられる。この板バネ５１ａ，５１ｂは、左右方向に弾性を有し、板バネ５２は上下方向に弾性を有する。
【００４１】
ここで、防爆ガラス６をランプカバー５及び防爆ガラス保持部材７によって保持する手順を図面を参照して説明する。図８（Ａ）はランプカバー５と防爆ガラス６との位置関係を示す模式図、図８（Ｂ）はランプカバー５と防爆ガラス６と防爆ガラス保持部材７の位置関係を示す模式図、図９は防爆ガラス６が防爆ガラス保持部材７によってランプカバー５に取り付けられた状態でこれらを防爆ガラス保持部材７の後方から見た図（点線は、防爆ガラス６を示す）、図１０（Ａ）は図９に示すＡ−Ａ’線の断面図、図１０（Ｂ）は図９に示すＢ−Ｂ’線の断面図である
【００４２】
まず、作業台などの平らな面に前側壁部２２Ｆの外面が当接するようにランプカバー５を置く。このとき、ランプカバー５の背面側が上を向く。
【００４３】
次に、ランプカバー５の内側に防爆ガラス６を載置する。すなわち、ランプカバー５の前側壁部２２Ｆの内側縁部にある平面部２０に防爆ガラス６の前面４０を当接させる。その後、防爆ガラス６を移動して、図８（Ａ）に示すように、ランプカバー５の内側２４にある第１係止部２５ａ、２５ｂの側面に防爆ガラス６の右側面４３の両端部を当接させ、ランプカバー５の内側２４にある第２係止部２６に防爆ガラス６の上側面４４の中央部を当接させる。
【００４４】
ここで、第１係止部２５ａ、２５ｂ及び第２係止部２６の側面は平面部２０に対して垂直の平らな面であり、防爆ガラス６の右側面４３の両端部及び上側面４４の中央部を面で受けることができる。
【００４５】
このようにランプカバー５の内側に防爆ガラス６を載置した状態で、防爆ガラス保持部材７をランプカバー５の内側に挿入する。この際、防爆ガラス保持部材７の係合部５７Ｒ，５７Ｌが左右に突出しているために、係合部５７Ｒ，５７Ｌがランプカバー５における左右側壁部２２Ｒ，２２Ｌに引っかかるが、係合部５７Ｒ，５７Ｌは左右方向に弾性を有しており、防爆ガラス保持部材７をランプカバー５の前側壁部２２Ｆ側に押圧することによって、ランプカバー５の所定位置に防爆ガラス保持部材７を挿入することができる。
【００４６】
このように所定位置まで防爆ガラス保持部材７が挿入されると、防爆ガラス保持部材７の係合部５７Ｒ，５７Ｌが左右側壁部２２Ｒ，２２Ｌに設けられた導風口２３Ｌ、２３Ｒに嵌まり込む。すなわち、係合部５７Ｒ，５７Ｌが導風口２３Ｌ、２３Ｒに係合して、防爆ガラス保持部材７がランプカバー５によって係止される。
【００４７】
このように防爆ガラス保持部材７がこの所定位置にあるときの状態を図８（Ｂ）及び図１０（Ａ）（Ｂ）に示す。同図に示すように、係合部５７Ｒ，５７Ｌは上下方向に弾性を有しており、防爆ガラス保持部材７がこの所定位置にあるとき、係合部５７Ｒ，５７Ｌは、防爆ガラス６の後面４１の周縁を前方に所定の押圧力をもって押圧する。板バネ５１ａ，５１ｂは左右方向に弾性を有しており、防爆ガラス保持部材７がこの所定位置にあるとき、板バネ５１ａ，５１ｂが防爆ガラス６の左側面４２を右側に所定の弾性をもって押圧することになる。また、板バネ５２は上下方向に弾性を有しており、防爆ガラス保持部材７がこの所定位置にあるとき、この板バネ５２は、防爆ガラス６の下側面４５を上側に所定の弾性をもって押圧することになる。
【００４８】
このように防爆ガラス保持部材７がこの所定位置にあるとき、防爆ガラス保持部材７の後面押圧板５３の前面が防爆ガラス６の後面４１の周縁に所定の押圧力をもって当接し、それによって防爆ガラスの前面４０がランプカバー５の前側壁面の平面部２０に押圧される。また、防爆ガラス保持部材７の板バネ５１ａ，５１ｂが防爆ガラス６の左側面４２の上下端に所定の押圧力をもって当接し、それによって防爆ガラス６の右側面４３が第１係止部２５ａ、２５ｂの側面に押圧される。さらに、防爆ガラス保持部材７の板バネ５２が防爆ガラス６の下側面４５に所定の押圧力をもって当接し、防爆ガラス６の上側面４４が第２係止部２６の側面に押圧される。
【００４９】
このように本実施形態における光源装置１においては、防爆ガラス保持部材７によって防爆ガラス６の前面４０及び側面４３，４４をランプカバー５の内側２４に押圧することによって、防爆ガラス６を保持する。従って、防爆ガラス６が汚れたり損傷した場合であっても防爆ガラス６のみを容易に交換することができ補修性を向上させることができる。しかも、防爆ガラス６を保持するために接着作業やねじ止め作業が必要であったが、防爆ガラス６を防爆ガラス保持部材７とランプカバー５とで保持するため製造コストを低減することができる。
【００５０】
また、防爆ガラス保持部材７では、防爆ガラス６の右側面４３を第１係止部２５に押圧する第１押圧部（板バネ５１ａ，５１ｂ）と、防爆ガラス６の上側面４４を第２係止部２６に押圧する第２押圧部（板バネ５２）とを有するので、防爆ガラス６の各側面４２，４３，４４，４５が押圧され、防爆ガラス６を安定して保持をすることができる。なお、第１押圧部及び第２押圧部として板バネ構造を例に挙げて説明したが、弾性力を有しているものであればゴム構造などを採用してもよい。
【００５１】
また、防爆ガラス保持部材７では、防爆ガラス６の後面４１を押圧して、防爆ガラス６の前面４０をランプカバー５の内側２４に第３押圧部（後面押圧板５３）で押圧するので、前後方向における防爆ガラス６の保持を安定して行うことができる。
【００５２】
また、防爆ガラス保持部材７のランプカバー５への係合を板バネ状の係合部５７Ｌ、５７Ｒにより行っているため、メンテナンス等が必要になったとき、係合部５７Ｌ、５７Ｒをランプカバー５の内側へ押し込むことで、ランプカバー５の係合受部２８Ｌ、２８Ｒから開放されるため、防爆ガラス６の取り付けや取り外し作業を短時間で容易に行うことができる。
【００５３】
また、防爆ガラス保持部材７は、膨出部５６を有しており、後面押圧板５３を左右方向に弾性を持たせることができる。従って、板バネ５１ａ，５１ｂの位置が製造上多少ずれた場合であっても、板バネ５１ａ，５１ｂによる押圧力を持たせつつ、板バネ５１ａ，５１の位置ずれを補正することができる。
【００５４】
なお、第１係止部２５は、ランプカバー５の内側２４の右側壁部２２Ｒに設けたが、第２係止部２６のように突出した形状でもよい。また、第２係止部２６は、前側壁部２２Ｆの上側壁部２２Ｕ近傍に設けたが、前側壁部２２Ｆの下側壁部２２Ｄ近傍に設けてもよい。このとき防爆ガラス保持部材の第２押圧部は、後面押圧板５３の上端側に設ける。また、防爆ガラス６の側面を押圧する押圧部は、第１押圧部と第２押圧部の２点であったが、３点で押圧するように新たに押圧部を設けてもよい。この場合、ランプカバー５の係止部は、１箇所設ければよい。
【００５５】
次に、本実施形態の光源装置１において、光源ランプ２を冷却するための構造（以下、「冷却構造」とする。）について図面を参照して説明する。図１１は、防爆ガラス保持部材に防風板部材を設けた模式図である。この冷却構造は、光源ランプ２が高温になることを防止するために設けられるものである。本実施形態においては、ランプカバー５、防爆ガラス保持部材７及びケース１４に、光源ランプ２を冷却するための構成を持たせている。
【００５６】
ランプカバー５には、上述したように左右側壁部２２Ｌ、２２Ｒに光源ランプ２を冷却する冷却風を導く長方形状の導風口２３Ｌ、２３Ｒが設けられている。この導風口２３Ｌ、２３Ｒは、左側の導風口２３Ｌから冷却風を導風し、右側の導風口２３Ｒから排出するために形成される。また、ランプカバー５には、内側２４の左側壁部２２Ｌの上方及び下方には後述する風向部材７０を止める２つのネジ穴が形成されている。
【００５７】
なお、ランプカバー５には、内側２４にリフレクタ４の開放部３の縁部４ａを受けるリフレクタ受面２７が形成されており、このリフレクタ受面２７にリフレクタ４の縁部４ａを当接することでランプカバー５をリフレクタ４に取り付ける。なお、ランプカバー５の内側四隅にはリフレクタ４を止める４つのネジ穴２９ｆ、２９ｇ、２９ｈ、２９ｉが形成されており、これらのネジ穴によってランプカバー５をリフレクタ４に固定することができる。
【００５８】
防爆ガラス保持部材７には、後述の導風口５５Ｌ、５５Ｒからの冷却風の方向を光源ランプ２側へ変更する風向部材７０が設けられる。この風向部材７０は、図１１に示すように、防爆ガラス保持部材７と別部材である１対の風向部材７０ａ、７０ｂで形成される。一方の風向部材７０ｂには、左右一対の風向板７１Ｌ，７１Ｒが形成され、左右風向板７１Ｌ、７１Ｒの中央に導風のための開口７２が形成される。各風向板７１Ｌ、７１Ｒは開口７２側から上側または下側に向かって長くなるように形成される。また、他方の風向部材７０ａには、その後面に風向部材７０ｂの前面を載置可能としており、さらに、所定の傾斜で前方（ランプカバー５側）に延在する風向板７０ｃを有している。
【００５９】
防爆ガラス保持部材７には、左右側壁部５４Ｌ、５４Ｒに光源ランプ２を冷却する冷却風を導風する左右対称の導風口５５Ｌ、５５Ｒが設けられる。この導風口５５Ｌ、５５Ｒは、防爆ガラス保持部材７がランプカバー５の所定位置にあるときに、ランプカバー５の導風口２３Ｌ，２３Ｒとの間で導風可能な位置に設けられる。なお、この導風口５５Ｌ、５５Ｒは、格子状金網で覆われており、これにより光源ランプ２が破損したときのガラスの飛散を防止することができる。
【００６０】
次に、ケース１４の各構成を説明する。図１２は、本実施の形態に係る光源装置１を示す分解斜視図である。
【００６１】
ケース１４は、図１２に示すように、光源本体１５を収納する筐体であり、ランプケース８と、背面カバー１１と、上部カバー１２と、底部カバー１３と冷却ファン９と左右導風ダクト１０Ｌ、１０Ｒにより構成される。
【００６２】
このランプケース８は、前後方向、上下方向が開口されており、左右側壁６０Ｌ、６０Ｒの前方に導風のための左右開口６１Ｌ、６１Ｒを有している。さらに、ランプケース８には、冷却ファン９を取り付けるネジ穴６３ａ、６３ｂと、左右の導風ダクト１０Ｌ、１０Ｒを取り付けるネジ穴６４ａ、６４ｂ、６５ａ、６５ｂと、底部カバー１３を取り付けるネジ穴６６ａ、６６ｂと、上部の突出部に穴６２ａ、６２ｂとで形成される。
【００６３】
冷却ファン９は、ランプケース８の後方の左右側側壁６０Ｌ、６０Ｒに取り付けられ、高速回転することにより、冷却ファン９の側面９ａから吸入した空気を前方に設けた排出口９ｂに排出することで左側導風ダクト１０Ｌに冷却風を導風させる。また、ランプケース８に取り付けるための２つのネジ穴９ｃ、９ｄが設けられる。
【００６４】
導風ダクト１０Ｌ、１０Ｒは、導風用の左側導風ダクト１０Ｌと排気用の右側導風ダクト１０Ｒからなり、ランプケース８の左右側壁６０Ｌ、６０Ｒに取り付けられる。ランプケース８に取り付けるための各２つのネジ穴１０ｃ、１０ｄ、１０ａ、１０ｂが設けられる。左側導風ダクト１０Ｌは、冷却ファン９からの冷却風をランプケース８の前方の開口６１Ｌに導風する。右側導風ダクト１０Ｒは、排出された冷却風をランプケース８の開口６１Ｒからランプケース８後方へ排出する。
【００６５】
背面カバー１１は、ランプケース８の背面に取り付けられる。背面カバー１１には、リフレクタ４内から排出される冷却風を排出する開口１１ａが設けられ、風向方向を調整するプレート１１ｂが設けられる。
【００６６】
上部カバー１２は、ランプケース８の上面に取り付けられる。上部カバー１２には、運搬用の取手１２ａが設けられ、左右凸状に設けられた２つの穴１２ｂ、１２ｃが設けられる。ランプカバー５の上部ネジ穴２９ａ、２９ｂ、２９ｃと対になる前方に３つのネジ穴１２ｄ、１２ｅ、１２ｆが設けられる。また、放熱のための開口１２ｇを有している。
【００６７】
底部カバー１３は、ランプケース８の底面に取り付けられる。底部カバー１３には、お椀状のリフレクタ４を受ける湾曲したプレート１３ａが設けられ、ランプケース８の左右側壁６０Ｌ、６０Ｒの下方のネジ穴と対になる左右に突出してネジ穴１３ｂ、１３ｃが設けられて、ランプケース８の底部のネジ穴６６ａ、６６ｂと対になるネジ穴１３ｄが設けられる。
【００６８】
以上のように構成された光源装置１における冷却構造について、光源装置１内の冷却風の流路を図面を参照して具体的に説明する。図１４は、光源装置１内の冷却風の流路を説明するための図（光源装置１の断面図）である。
【００６９】
図１４に示すように、冷却ファン９から導風される冷却風は、冷却ファン９から導風ダクト１０Ｌ、ランプケース８の開口６１Ｌ、ランプカバー５の導風口２３Ｌ、防爆ガラス保持部材７の導風口５７Ｌの順に流入し、左右風向板７１Ｌ、７１Ｒで冷却風の風向が変更され分流される。この開口７２付近で分流された第１の分流Ｗ１は、光源ランプ２の球状の発光管２ａに向かって流れる。ランプケース８後部の光源ランプ２で温められた空気が、光源装置１の背面カバー１１の開口１１ａから光源装置１の外部に流れ出る。また、第１の分流Ｗ１の一部は、リフレクタ４の湾曲形状によって、乱流となり発光管２ａから右側の導風口５５Ｒに向かって流れ排出される。次に、第２の分流Ｗ２は、防爆ガラス６の周辺を左側から右側へ流れ、排出される右側の導風口５５Ｒ、ランプカバー５の導風口２３Ｒ、ランプケース８の開口６１Ｒを通過し、右側の導風ダクト１０Ｒの前方から後方へ流れて、光源装置１の外部に流れ出る。
【００７０】
このように光源装置１では、防爆ガラス保持部材７の左側壁部５４Ｌに光源ランプ２を冷却する冷却風を導く導風口５５Ｌが設けられ、導風口５５Ｌからの冷却風の方向を光源ランプ２側へ変更する風向板７１Ｌ、７１Ｒ，７０ｃを備えているので、導風口５５Ｌから冷却風を光源装置１内に導くことができ、さらに風向板によって冷却風の方向を光源ランプ２側へ変更することができ、冷却効率を向上することができる。
【００７１】
この風向板７１Ｌ、７１Ｒ，７０ｃでは、導風された冷却風の風向を変更させて、第１の分流Ｗ１と第２の分流Ｗ２に分流して、この第１の分流Ｗ１によって発光管２ａを積極的に冷却でき、さらに第２の分流Ｗ２によって、防爆ガラス６周辺を冷却するので、光源装置１の冷却効率を向上させることができる。風向板７１Ｌ、７１Ｒ，７０ｃを風向部材７０として形成して、防爆ガラス保持部材７と別部材としたので、風向板７１Ｌ、７１Ｒに形状を変えた風向部材７０を交換することにより、風向の変更や分流する風量の調整を行うことができる。
【００７２】
上述では、風向部材７０を防爆ガラス保持部材７と別部材として説明したが、以下に示すように、防爆ガラス保持部材と同一部材で形成してもよい。すなわち、図１３に示すように、防爆ガラス保持部材７’の開口部５０’の縁から所定間隔を開けて後方に延在させて一対の風向板７１Ｌ’、７１Ｒ’を形成するのである。
【００７３】
このように風向板７１Ｌ’、７１Ｒ’を防爆ガラス保持部材７’と同一形成とすることで、光源装置１の部品点数を削減することができ、さらに風向板７１Ｌ’、７１Ｒ’の取付け作業の工数も削減することができ、コスト低減を図ることができる。また、風向板７１Ｌ’、７１Ｒ’の形状を変えることによって、風向の変更や分流する風量の調整を行うことができる。
【００７４】
以上、本発明の好ましい実施の形態について説明したが、本発明は係る特定の実施形態に限定されるものではなく、特許請求の範囲に記載された本発明の要旨の範囲内において、種々の変形・変更が可能である。
【図面の簡単な説明】
【００７５】
【図１】本実施の形態に係る画像表示装置を示す構成図である。
【図２】本実施の形態に係る光源装置の外観図である。
【図３】本実施の形態に係る光源装置の分解斜視図である。
【図４】本実施の形態に係る光源本体の分解斜視図である。
【図５】本実施の形態に係る光源本体の分解斜視図である。
【図６】本実施の形態に係るランプカバーの斜視図である。
【図７】本実施の形態に係る防爆ガラス保持部材の斜視図である。
【図８】（Ａ）本実施の形態に係るランプカバーと防爆ガラスとの位置関係を示す模式図である。（Ｂ）本実施の形態に係るランプカバーと防爆ガラスと防爆ガラス保持部材の位置関係を示す模式図である。
【図９】本実施の形態に係るランプカバーと防爆ガラスと防爆ガラス保持部材の位置関係を示す図である。
【図１０】（Ａ）図９に示すＡ−Ａ’線の断面図である。（Ｂ）図９に示すＢ−Ｂ’線の断面図である。
【図１１】本実施の形態に係る防爆ガラス保持部材と風向板部材を示す分解斜視図である。
【図１２】本実施の形態に係る光源装置を示す分解斜視図である。
【図１３】本実施の形態に係る他の防爆ガラス保持部材の斜視図である。
【図１４】本実施の形態に係る光源装置の冷却風の流路を示す断面図である。
【符号の説明】
【００７６】
１  光源装置
２  光源ランプ
３  開放部
４  リフレクタ
５  ランプカバー
６  防爆ガラス
７  防爆ガラス保持部材
８  ランプケース
９  冷却ファン
１０Ｌ、１０Ｒ  導風ダクト
１１  背面カバー
１２  上部カバー
１３  底部カバー
１４  ケース
１５  光源本体
２０  平面部
２１、５０  開口
２３  導風口
２４  内側
２５Ｕ，２５Ｄ  第１係止部
２６  第２係止部
４２  防爆ガラス６の左側面
４５  防爆ガラス６の下側面
５１ａ、５１ｂ  板バネ（第１押圧部）
５２  板バネ（第２押圧部）
５３  後面押圧板（第３押圧部）
５４Ｌ、５４Ｒ  側壁部
５５Ｌ、５５Ｒ  導風口
５７Ｌ、５７Ｒ  係合部
７０  風向部材
７１，７１’，７０ｃ  風向板
１０１  画像表示装置
１０２  光変調部
１０３  投影光学系
【図９】
2008210649.tif 000003
【図１２】
2008210649.tif 000004
【図１４】
2008210649.tif 000005
【図１】
2008210649.tif 000006
【図２】
2008210649.tif 000007
【図３】
2008210649.tif 000008
【図４】
2008210649.tif 000009
【図５】
2008210649.tif 000010
【図６】
2008210649.tif 000011
【図７】
2008210649.tif 000012
【図８】
2008210649.tif 000013
【図１０】
2008210649.tif 000014
【図１１】
2008210649.tif 000015
【図１３】
2008210649.tif 000016